(57)【要約】【課題】機械換気により室内の空気質を清浄に維持する。【解決手段】制御装置１０は、取得部１１と処理部１２と指示部１３とを備える。取得部１１は、室内４１の空気質を計測する空気質センサ３１および室外４２の空気質を計測する空気質センサ３２から計測値を取得する。指示部１３は、空気質を改善するフィルタを通して室外４２から室内４１に吸気すると同時に室内４１から室外４２への排気を行う第１の状態と、室内４１から室外４２への排気を行う第２の状態とを選択するように換気装置２１に動作の指示を行う。処理部１２は、空気質センサ３２が計測した計測値が所定の閾値に対して非清浄側であると、第１の状態で換気装置２１を運転させる。また、処理部１２は、空気質センサ３２が計測した空気質が閾値に対して清浄側であると、第２の状態で換気装置２１を運転させるように指示の内容を定める。【選択図】図１
2016065696.tif 000002
【特許請求の範囲】
【請求項１】
室内の空気質を計測する第１の空気質センサおよび室外の空気質を計測する第２の空気質センサから計測値を取得する取得部と、
空気質を改善するフィルタを通して前記室外から前記室内に吸気すると同時に前記室内から前記室外への排気を行う第１の状態と、前記室内から前記室外への排気を行う第２の状態とを選択するように換気装置に動作の指示を行う指示部と、
前記取得部が取得した前記計測値に基づいて前記指示部に与える前記指示の内容を定める処理部とを備え、
前記処理部は、
前記第２の空気質センサが計測した前記計測値が所定の閾値に対して非清浄側である場合には、前記第１の状態で前記換気装置を運転させ、前記第２の空気質センサが計測した前記空気質が前記閾値に対して清浄側である場合には、前記第２の状態で前記換気装置を運転させるように前記指示の内容を定める
ことを特徴とする制御装置。
【請求項２】
前記換気装置は、
吸気用のファンと排気用のファンとをハウジングに備え、前記ハウジングは前記吸気用のファンに対応する流路内に前記フィルタを備え、
前記処理部は、
前記第１の状態では前記吸気用のファンと前記排気用のファンとが同時に運転し、前記第２の状態では前記排気用のファンのみが運転するように前記指示の内容を定める
請求項１記載の制御装置。
【請求項３】
前記室内と前記室外との間で空気の流通を許可する状態と空気の流通を遮断する状態とが選択可能な通気装置が配置されている場合、
前記処理部は、
前記換気装置を前記第１の状態で運転する期間に、前記通気装置による空気の流通を遮断するように前記指示の内容を定め、
前記換気装置を第２の状態で運転している期間に、前記通気装置による空気の流通を許可するように前記指示の内容を定める
請求項１又は２記載の制御装置。
【請求項４】
前記室内から前記室外へ排気を行う排気用換気扇が前記部屋に配置されている場合、
前記処理部は、
前記第１の空気質センサが計測した前記計測値が所定の閾値に対して非清浄側である期間に、前記排気用換気扇を前記換気装置と併せて運転するように前記指示の内容を定める
請求項１〜３のいずれか１項に記載の制御装置。
【請求項５】
請求項１〜４のいずれか１項に記載の制御装置と、
換気装置とを備え、
前記換気装置は、
室外から空気質を改善するフィルタを通して室内に吸気すると同時に前記室内から前記室外への排気を行う第１の状態と、前記室内から前記室外への排気を行う第２の状態とが選択可能である
ことを特徴とする通風制御システム。
【請求項６】
コンピュータを、請求項１〜４のいずれか１項に記載の制御装置として機能させるためのプログラム。  
【発明の詳細な説明】
【技術分野】
【０００１】
本発明は、室内空気の機械換気を行うための換気装置を制御する制御装置、この制御装置を用いた通風制御システム、コンピュータを制御装置として機能させるためのプログラムに関する。
【背景技術】
【０００２】
従来、室内空気の機械換気を行うために、吸気用の換気扇と排気用の換気扇とを組み合わせた換気システムが提案されている（たとえば、特許文献１参照）。特許文献１の換気システムは、気密性の高い住宅において、過大な能力の換気扇を用いることなく、住宅全体の換気を行うことを可能にしている。
【先行技術文献】
【特許文献】
【０００３】
【特許文献１】特開２００２−１３０７５４号公報
【発明の概要】
【発明が解決しようとする課題】
【０００４】
特許文献１に記載された技術は、湿気、二酸化炭素、室内汚染物質などを屋外に排出する機能を有している。しかしながら、吸気用の換気扇を通して屋外の汚染物質が室内に導入される可能性についての配慮がない。
【０００５】
本発明は、機械換気により室内の空気質を清浄に維持するために、換気に用いる装置を制御する制御装置を提供することを目的とする。さらに、本発明は、この制御装置を用いた通風制御システム、およびコンピュータを制御装置として機能させるためのプログラムを提供することを目的とする。
【課題を解決するための手段】
【０００６】
本発明に係る制御装置は、室内の空気質を計測する第１の空気質センサおよび室外の空気質を計測する第２の空気質センサから計測値を取得する取得部と、空気質を改善するフィルタを通して前記室外から前記室内に吸気すると同時に前記室内から前記室外への排気を行う第１の状態と、前記室内から前記室外への排気を行う第２の状態とを選択するように換気装置に動作の指示を行う指示部と、前記計測値に基づいて前記指示部に与える前記指示の内容を定める処理部とを備え、前記処理部は、前記第２の空気質センサが計測した前記計測値が所定の閾値に対して非清浄側である場合には、前記第１の状態で前記換気装置を運転させ、前記第２の空気質センサが計測した前記空気質が前記閾値に対して清浄側である場合には、前記第２の状態で前記換気装置を運転させるように前記指示の内容を定めることを特徴とする。
【０００７】
本発明に係る通風制御システムは、制御装置と、換気装置と備え、前記換気装置は、室外から空気質を改善するフィルタを通して室内に吸気すると同時に前記室内から前記室外への排気を行う第１の状態と、前記室内から前記室外への排気を行う第２の状態とが選択可能であることを特徴とする。
【０００８】
本発明に係るプログラムは、コンピュータを、制御装置として機能させるためのものである。
【発明の効果】
【０００９】
本発明の構成によれば、室外の空気質が清浄であれば室内の空気を室外に排気することにより、室外の空気を室内に取り入れ、室外の空気質が非清浄であれば室内の空気を室外に排気するだけではなく、フィルタを通して室外の空気を室内に取り入れる。この構成によって、室外の空気質に応じて機械換気の経路を切り替えることができ、室内の空気質を清浄に維持することが可能になる。
【図面の簡単な説明】
【００１０】
【図１】実施形態を示す概略構成図である。
【図２】実施形態の動作説明図である。
【発明を実施するための形態】
【００１１】
以下に説明する実施形態は、建物が住宅である場合を想定して説明するが、以下に説明する実施形態の技術は、店舗あるいはオフィスで使用することを妨げない。住宅は、戸建て住宅と集合住宅とのどちらでもよい。また、基本的には建物の内側と外側との空間で換気することを想定しているが、建物の内部空間において、特定の部屋の換気を行う場合であっても以下に説明する実施形態の技術を採用することが可能である。
【００１２】
本実施形態では、図１に示すように、室内４１と室外４２との間で空気を流通させる装置として、換気装置２１と通気装置２２とレンジフード２３とが部屋４０に設けられている例を用いて説明する。レンジフード２３はキッチンに配置される。ただし、本実施形態で説明する部屋４０は、キッチンあるいはキッチンが併設されたリビングなどである場合に限らず、建物の中でキッチンと連続した空間であり、かつレンジフード２３で空気流を形成することができる空間であればよい。ここに、レンジフード２３は、室内４１から室外４２へ排気を行う排気用換気扇の一例である。キッチンに連続していない部屋であっても、排気用換気扇が換気装置２１とは別に配置されている部屋であれば、以下に説明する動作が可能である。なお、排気用換気扇は、レンジフード２３のように流量の大きい換気扇であることが望ましいが、流量はとくに問わない。
【００１３】
室内４１には、室内４１の空気質を計測する空気質センサ３１、温度と湿度とを計測する温湿度センサ３３が配置され、室外４２には、室外４２の空気質を計測する空気質センサ３２が配置される。さらに、図示する実施形態では、室内４１に空気清浄機２４が配置されている。なお、図１に示す配置例は一例であり、部屋４０の構成に応じて、配置は適宜に変更される。また、空気清浄機２４は必須ではない。
【００１４】
換気装置２１、通気装置２２、レンジフード２３は、制御装置１０から動作の指示を受ける。また、制御装置１０は、空気質センサ３１、温湿度センサ３３、空気質センサ３２から入力される情報を用いて、換気装置２１、通気装置２２、レンジフード２３に対する指示の内容を定める。ただし、通風制御システム１の最小構成としては、制御装置１０と空気質センサ３１および空気質センサ３２と換気装置２１とを備えていればよい。
【００１５】
換気装置２１は、ハウジング２１０に、吸気用の流路２１１と排気用の流路２１２とを備える。吸気用の流路２１１には吸気用のファン２１３が配置され、排気用の流路２１２には排気用のファン２１４が配置される。さらに、吸気用の流路２１１には、空気質を改善するフィルタ２１５が配置される。したがって、吸気用の流路２１１を通して室外４２から室内４１に導入される空気は、フィルタ２１５により空気質が室外４２よりも改善される。
【００１６】
フィルタ２１５が除去の対象とする空気質の因子は、粒子状物質、花粉、黄砂などである。粒子状物質は、ＰＭ２．５（ＰＭ：Particulate Matter）として知られる微小粒子状物質を想定しているが、浮遊粒子状物質、ＰＭ１０などでもよい。フィルタ２１５は、吸気用の流路２１１において、吸気用のファン２１３に対する空気の導入側に配置されていることが望ましい。
【００１７】
換気装置２１は、制御装置１０からの指示を受けて、排気用のファン２１４と同時に吸気用のファン２１３を運転する第１の状態と、排気用のファン２１４のみを運転する第２の状態とが選択可能になっている。第１の状態は第１種換気に相当し、第２の状態は第３種換気に相当する。言い換えると、換気装置２１は、制御装置１０からの指示によって、第１種換気と第３種換気とを選択するように構成されている。
【００１８】
なお、換気装置２１は、吸気用のファン２１３のみを運転する第２種換気の状態が選択可能であってもよいが、本実施形態では採用していない。また、換気装置２１は、吸気用の流路２１１と排気用の流路２１２との一方を使用しない場合に遮断できるように、流路２１１および流路２１２は、それぞれダンパまたはバルブを備えていることが望ましい。
【００１９】
上述したように、換気装置２１は、第１の状態で運転している期間には、室外４２からフィルタ２１５を通して室内４１に吸気すると同時に、室内４１から室外４２への排気を行う。また、換気装置２１は、第２の状態で運転している期間には、室内４１から室外４２への排気のみを行う。
【００２０】
第１の状態と第２の状態とは、吸気用のファン２１３と排気用のファン２１４とをハウジング２１０に備える換気装置２１に限らず、個々のハウジングを備えた吸気用の換気扇と排気用の換気扇とを組み合わせることによって実現することが可能である。すなわち、換気装置２１は、吸気と排気とを１台で同時に行う構成に限らず、吸気と排気とを個々に行う複数台の換気扇で実現してもよい。
【００２１】
レンジフード２３は、室内４１から排気のみを行う装置であり、本実施形態では、換気装置２１による換気を補助する装置として用いられる。後述するように、室内４１から急速に排気を行う場合には、換気装置２１における排気用のファン２１４とレンジフード２３とを同時に運転する状態が選択される。この動作の際に室内４１の空気を迅速に排気するために、換気装置２１は、部屋４０において、レンジフード２３に対して離れて配置されていることが望ましい。
【００２２】
通気装置２２は、部屋４０の窓のような開口部に配置されるか、壁を貫通するように配置される。通気装置２２は、室内４１と室外４２との間で空気の流通を可能にする流路２２１が形成されている。また、通気装置２２は、流路２２１を通して室内４１と室外４２との間で空気の流通を許可する状態と、空気の流通を遮断する状態とを選択するために、ダンパまたはバルブのような開閉装置２２２を備えている。開閉装置２２２は、制御装置１０からの指示を受けて空気の流通を許可する状態と空気の流通を遮断する状態とを選択する。
【００２３】
本実施形態では、室内４１に配置された空気質センサ３１は、粒子状物質（とくにＰＭ２．５）と二酸化炭素と臭気成分とを、空気質の因子として濃度を計測する。この空気質センサ３１は、花粉、黄砂、ほこり、カビの胞子、ダニなどについても粒子状物質と区別することなく濃度を計測する。また、室外４２に配置された空気質センサ３２は、主として粒子状物質の濃度を計測する。
【００２４】
空気質センサ３１および空気質センサ３２が計測の対象とする空気質の因子は、上述した例に限らないが、室内４１の空気質センサ３１と室外４２の空気質センサ３２とのどちらも、粒子状物質の濃度は共通の因子として計測することが望ましい。また、室内４１を快適かつ安心できる空気環境に維持することを目指しているから、計測対象の因子の種類は、通常、室内４１の空気質センサ３１のほうが室外４２の空気質センサ３２より多くなる。
【００２５】
空気質の複数種類の因子に関して計測を行う場合、図１に示す例のように、空気質の因子ごとに空気質センサ３１を配置してもよい。たとえば、空気質センサ３１として、粒子状物質の濃度を計測する空気質センサと、二酸化炭素の濃度を計測する空気質センサとを備えていてもよい。また、二酸化炭素の濃度を計測する空気質センサは、臭気成分（たとえば、ホルムアルデヒド、特定の種類の揮発性有機化合物（ＶＯＣ：Volatile Organic Compounds）、メルカプタンなど）も計測可能となるように構成されていてもよい。
【００２６】
温湿度センサ３３は、室外４２の空気を室内４１に導入する際に、室内４１の温度および湿度の変化を監視するために設けられている。温湿度センサ３３が計測した室内４１の温度および湿度が、あらかじめ定められた快適な範囲を逸脱する場合には、機械換気を行わずに、空調装置により室内４１の温度の調節を行い、また必要に応じて空気清浄機２４による空気質の改善を行う。空気清浄機２４は、粒子状物質の除去と臭気成分の除去とが可能になっている。
【００２７】
以下に制御装置１０の構成および動作について説明する。制御装置１０は、空気質センサ３１、温湿度センサ３３、空気質センサ３２から計測値を取得する取得部１１を備えている。また、制御装置１０は、取得部１１が取得した計測値が与えられる処理部１２を備え、さらに、処理部１２は、取得部１１から受け取った計測値を用いて換気装置２１、通気装置２２、レンジフード２３、空気清浄機２４への指示の内容を定める。制御装置１０は、処理部１２が定めた指示を、換気装置２１、通気装置２２、レンジフード２３、空気清浄機２４に与える指示部１３を備える。
【００２８】
以下に説明する動作では、温湿度センサ３３は用いていない。温湿度センサ３３の計測値を用いると、たとえば、夏季では室外４２の気温が室内４１の気温よりも高い期間、また冬季では室外４２の気温が室内４１の気温よりも低い期間に、換気を行わないという選択が可能になる。以下では、処理部１２が、空気質に関する計測値のみを用いて、換気装置２１、通気装置２２、レンジフード２３、空気清浄機２４に与える指示を定める例について説明する。
【００２９】
上述したように室内４１に配置された空気質センサ３１は、粒子状物質の濃度と、二酸化炭素の濃度および臭気成分の濃度とを監視する。また、室外４２に配置された空気質センサ３２は粒子状物質の濃度を監視する。処理部１２には、空気質センサ３１の計測値と比較される閾値が空気質の因子ごとに定められており、また、空気質センサ３２の計測値と比較される閾値が定められている。空気質センサ３１および空気質センサ３２の計測値と比較される閾値は、空気質センサ３１または空気質センサ３２の計測値が閾値よりも大きいときに空気質が非清浄と判定されるように設定される。言い換えると、計測値が閾値以下であれば空気質は清浄と判定される。つまり、室内４１に配置された空気質センサ３１の計測値が閾値を超えることは、室内４１の空気を清浄化することが必要であることを意味する。
【００３０】
図２Ａは、室内４１の空気質と室外４２の空気質との両方が清浄である状態を示している。すなわち、空気質センサ３１の計測値と空気質センサ３２の計測値とがともに閾値以下であるという条件が成立している状態である。この状態では、室外４２から室内４１に外気をそのまま取り込んでも室内４１の空気質が低下することはない。そのため、処理部１２は、換気装置２１を第２の状態（第３種換気）として室内４１の空気を排気させ、また通気装置２２を開いて室外４２と室内４１との間で空気を流通させる。
【００３１】
したがって、図２Ａに示すように、換気装置２１による機械換気によって室内４１の空気が室外４２に排気されるように空気流Ｘ１が形成され、同時に、室外４２の空気が通気装置２２を通して室内４１に取り込まれる空気流Ｙ１が形成される。図２Ａではレンジフード２３は動作しておらず、換気装置２１の排気用のファン２１４のみの機械換気が行われる。
【００３２】
ところで、換気装置２１と通気装置２２との位置関係にもよるが、図２Ａのような配置の場合、通気装置２２を通して室外４２から取り込まれた空気は、換気装置２１と通気装置２２との近辺にとどまり、室内４１に十分に拡散しない可能性がある。そのため、図２Ａに示す配置例では、室内４１において通気装置２２の反対側に空気清浄機２４が配置されている。ここでは、空気清浄機２４は、空気質の改善を行うのではなく、室内４１を循環する空気流Ｚ１を形成するために用いられている。
【００３３】
室内４１と室外４２との空気質が清浄である場合には、上述の動作になるように、換気装置２１と通気装置２２と空気清浄機２４とに、制御装置１０が指示を与える。ここで、室内４１と室外４２との両方において空気質が清浄である状態に対して、室内４１の空気質が非清浄になったとする。すなわち、制御装置１０において、取得部１１が室内４１の空気質センサ３１から取得した計測値が所定の閾値に対して非清浄側になったとする。この状態では、室外４２の空気質は清浄であるから通気装置２２を通して室外４２の空気を室内４１に取り込むことが可能である。このような状態では、室内４１の空気と室外４２の空気とを迅速に入れ替えることが望ましい。そこで、図２Ｂのように、制御装置１０は、図２Ａの状態に加えて、レンジフード２３が運転するように指示を与える。
【００３４】
レンジフード２３が運転を開始すると、レンジフード２３を通して室内４１から室外４２に排気されるように空気流Ｘ２が新たに形成されるから、換気装置２１とレンジフード２３とにより、室内４１から単位時間当たりに排気される空気量が増加する。その結果、通気装置２２を通して単位時間当たりに室外４２から室内４１に導入される空気量も増加する。すなわち、室内４１の空気が迅速に換気されることになる。
【００３５】
一方、図２Ａの状態から室外４２の空気質が非清浄になったとすると、室外４２の空気を室内４１にそのまま取り込むと、室内４１の空気質が低下することになる。そのため、制御装置１０は、図２Ｃのように、通気装置２２の開閉装置２２２を閉じて空気流Ｙ１を停止させる。この状態では、制御装置１０は、換気装置２１における吸気用のファン２１３の運転を開始させる。言い換えると、制御装置１０は、換気装置２１が第１の状態で運転するように指示を与える。ファン２１３の運転中には、フィルタ２１５を通して室外４２から室内４１への空気流Ｙ２が形成される。つまり、非清浄である室外４２の空気が、フィルタ２１５を通して清浄化された後に室内４１に取り込まれる。したがって、室内４１の空気質を低下させることなく、室外４２から室内４１に空気を取り込むことが可能になる。
【００３６】
図２Ｂの状態と図２Ｃの状態とは、室内４１と室外４２との一方だけの空気質が非清浄である状態を示している。これに対して、室内４１と室外４２との両方の空気質が非清浄になると、制御装置１０は、図２Ｄのように、換気装置２１は吸気用のファン２１３と排気用用のファン２１４とを同時に運転し、通気装置２２の開閉装置２２２を閉じ、レンジフード２３を運転させる。
【００３７】
すなわち、図２Ｄの状態は、図２Ｂの状態に対して室外４２の空気質が低下しているから、室外４２の空気が通気装置２２を通して室内４１に導入されないように開閉装置２２２を閉じている。室外４２の空気は、フィルタ２１５を通って清浄化された後に室内４１に導入される。したがって、室内４１の空気質の低下が防止される。
【００３８】
加えて、図２Ｄの状態は、図２Ｃの状態に対して、室内４１の空気質が低下しているから、室内４１の空気が室外４２に迅速に排気されるように、レンジフード２３を換気装置２１と併せて運転している。つまり、換気装置２１の吸気用のファン２１３に加えてレンジフード２３を運転しているから、単位時間当たりに室内４１から室外４２に排気される空気量が増加し、空気質が低下した室内４１の空気を迅速に室外４２に排気することができる。そして、換気装置２１における吸気用のファン２１３が運転されていることにより、室外４２から清浄化された空気が室内４１に取り込まれ、室内４１の空気質が迅速に改善されることになる。なお、図２に示す例において、換気装置２１における排気用のファン２１４および空気清浄機２４は省略可能である。
【００３９】
上述した動作によって、室外４２の空気質が清浄であれば、フィルタ２１５を通すことなく室外４２から室内４１に空気を取り入れられる。そのため、フィルタ２１５の汚れが抑制される。また、制御装置１０は、換気装置２１によって室内４１の空気を室外４２に排気する際に、レンジフード２３を併用する動作を可能にしている。したがって、換気装置２１が小型であっても、部屋４０の全体では単位時間当たりに排気される空気量を大きくし、室内４１の空気を迅速に換気することが可能になる。
【００４０】
上述した制御装置１０は、個別部品によって構成することが可能であるが、プログラムに従って動作するプロセッサを備えるデバイスおよびインターフェイス用のデバイスとを主なハードウェア要素として構成される。インターフェイス用のデバイスは、換気装置２１、通気装置２２、レンジフード２３、空気清浄機２４、空気質センサ３１、３２、温湿度センサ３３などを接続するために設けられる。プロセッサを備えるデバイスは、メモリをプロセッサと一体に備えるマイコン（Microcontroller）、メモリが別に設けられるＭＰＵ（Micro Processing Unit）などから適宜に選択される。
【００４１】
プログラムは、ＲＯＭ（Read Only Memory）に書き込まれた状態で提供されるほか、インターネットのような電気通信回線を通して提供されてもよい。また、プログラムは、コンピュータで読取可能な記録媒体を用いて提供されてもよい。
【００４２】
以上説明した本実施形態の制御装置１０は、取得部１１と処理部１２と指示部１３とを備える。取得部１１は、室内４１の空気質を計測する（第１の）空気質センサ３１および室外４２の空気質を計測する（第２の）空気質センサ３２から計測値を取得する。指示部１３は、空気質を改善するフィルタを通して室外４２から室内４１に吸気すると同時に室内４１から室外４２への排気を行う第１の状態と、室内４１から室外４２への排気を行う第２の状態とを選択するように換気装置２１に動作の指示を行う。処理部１２は、取得部１１が取得した計測値に基づいて指示部１３に与える指示の内容を定める。処理部１２は、（第２の）空気質センサ３２が計測した計測値が所定の閾値に対して非清浄側である場合には、第１の状態で換気装置２１を運転させる。一方、処理部１２は、（第２の）空気質センサ３２が計測した空気質が閾値に対して清浄側である場合には、第２の状態で換気装置２１を運転させるように指示の内容を定める。
【００４３】
この構成によれば、室外４２の空気質が閾値に対して非清浄側である場合に、排気に加えてフィルタ２１５を通しての吸気を行う第１の状態が選択される。また、室外４２の空気質が閾値に対して清浄側である場合に、排気のみを行う第２の状態が選択される。そのため、室外４２の空気が清浄であればフィルタ２１５を通さずに換気が行われ、フィルタ２１５の汚れが抑制される。一方、室外４２の空気質が低下すれば、フィルタ２１５を通して室内４１に空気を取り込むことにより、室内４１の空気質の低下が防止される。
【００４４】
換気装置２１は、吸気用のファン２１３と排気用のファン２１４とをハウジング２１０に備え、ハウジング２１０は吸気用のファン２１３に対応する流路２１１内にフィルタ２１５を備えることが望ましい。処理部１２は、第１の状態では吸気用のファン２１３と排気用のファン２１４とが同時に運転し、第２の状態では排気用のファン２１３のみが運転するように指示の内容を定める。
【００４５】
この構成によれば、１台の換気装置２１を用いて第１の状態と第２の状態とが選択可能になる。
【００４６】
ここで、室内４１と室外４２との間で空気の流通を許可する状態と空気の流通を遮断する状態とが選択可能な通気装置２２が配置されている場合を想定する。この場合、処理部１２は、換気装置２１を第１の状態で運転する期間に、通気装置２２による空気の流通を遮断するように指示の内容を定めることが望ましい。また、処理部１２は、換気装置２１を第２の状態で運転している期間に、通気装置２２による空気の流通を許可するように指示の内容を定めることが望ましい。
【００４７】
この構成によれば、室外４２の空気質が低下し、室外４２の空気が換気装置２１によりフィルタ２１５を通して室内４１に取り込まれている期間には、通気装置２２による空気の流通が遮断され、室内４１に室外４２の空気が直接取り込まれることがない。その一方で、室外４２の空気質が清浄である期間には、通気装置２２を通して室内４１に室外４２の空気が直接取り込まれるから、自然な通風に近い状態を実現できる。
【００４８】
また、室内４１から室外４２へ排気を行う排気用換気扇（レンジフード２３）が部屋４０に配置されている場合を想定する。この場合、処理部１２は、（第１の）空気質センサ３１が計測した計測値が所定の閾値に対して非清浄側である期間に、排気用換気扇（レンジフード２３）を換気装置２１と併せて運転するように指示の内容を定めることが望ましい。
【００４９】
この構成によれば、換気装置２１だけでは室内４１から室外４２へ空気を排出する能力が低い場合でも、排気用換気扇（レンジフード２３）との併用によって、室内４１の空気を室外４２に迅速に排気することが可能になる。
【００５０】
上述した通風制御システム１は、制御装置１０と換気装置２１とを備える。換気装置２１は、空気質を改善するフィルタ２１５を通して室外４２から室内４１に吸気すると同時に室内４１から室外４２への排気を行う第１の状態と、室内４１から室外４２への排気を行う第２の状態とが選択可能である。
【００５１】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００５２】
１０  制御装置
１１  取得部
１２  処理部
１３  指示部
２２  通気装置
２３  レンジフード（排気用換気扇）
３１  （第１の）空気質センサ
３２  （第２の）空気質センサ
４０  部屋
４１  室内
４２  室外
２１０  ハウジング
２１１  流路（吸気用）
２１２  流路（排気用）
２１３  ファン（吸気用）
２１４  ファン（排気用）
２１５  フィルタ
【図１】
2016065696.tif 000003
【図２】
2016065696.tif 000004